(57)【要約】      （修正有）【課題】ダイレータをシース方向に、ストレートに直進させるだけで簡潔に係合でき、十分な接続強度も維持できるイントロデューサを提供すること。【解決手段】シース（２）とダイレータ（３）とを具備し、シースハブ（５）の外周に、長さが外周長の略1／３ないし略１／４の突起（１６）を形成し、ダイレータフランジ（１０）に、長さが外周長の略1／３ないし略１／４のスリット（１７）を形成したイントロデューサ（１）。前記ダイレータフランジ（１０）の長さ方向に、スリット（１８）を少なくとも一個ないし二個形成した。【選択図】図３
0003114694.tif 000002
【実用新案登録請求の範囲】
【請求項１】
シース（２）とダイレータ（３）とを具備し、
シースハブ（５）の外周に、長さが外周長の略1／３ないし略１／４の突起（１６）を形成し、ダイレータフランジ（１０）に、長さが外周長の略1／３ないし略１／４のスリット（１７）を形成した、ことを特徴とするイントロデューサ（１）。
【請求項２】
前記ダイレータフランジ（１０）の長さ方向に、スリット（１８）を少なくとも一個ないし二個形成したことを特徴とする請求項１に記載のイントロデューサ（１）。
【請求項３】
シース（２）とダイレータ（３）とを具備し、
シースハブ（５）の外周に、長さが外周長の略1／３ないし略１／４の突起（１６）を形成し、ダイレータフランジ（１０）に、長さが外周長の略1／３ないし略１／４のスリット（１７）を形成し、
前記突起（１６）と前記スリット（１７）は、シースハブ（５）とダイレータフランジ（１０）の対向する位置に形成し、
前記ダイレータフランジ（１０）の長さ方向に、少なくとも一個ないし二個のスリット（１８）を形成し、
前記ダイレータフランジ（１０）をシースハブ（５）方向にストレートに直進させることにより、シースハブ（５）がダイレータフランジ（１０）を押し広げ、前記突起（１６）が前記スリット（１７）に係合するように形成した、ことを特徴とするイントロデューサ（１）。
【考案の詳細な説明】
【技術分野】
【０００１】
本考案はシースとダイレータを具備するイントロデューサの改良に関するもので、特にシースとダイレータの接続構造に関する。本考案は、ＣＡＧ（冠動脈造影）カテーテル、ガイドワイヤー、ＰＴＡ（経皮的血管形成術）カテーテル、ＰＴＣＡ（経皮的冠動脈血管形成術）ガイデイングカテーテル等に使用することができる。カテーテルは、バルーンを具備するカテーテルと具備しないカテーテルの双方を含む。
【背景技術】
【０００２】
例えば特許文献１（特開２００２−２５３６８０号）は、シースとダイレータがテーパ嵌合、特許文献２（特開２００３−１５４０１３号）は、シースとダイレータがダイレータハブに付設したアームとシースに形成した溝等との係合により接続している。
特許文献１の接続手段では、接続強度が十分でなく、特許文献２の接続手段では、ダイレータハブに付設したアーム等が手技のときにその他の周辺機器に引っ掛かって手技が実施しずらい等の指摘があった。
【０００３】
【特許文献１】特開２００２−２５３６８０号公報（図１）
【特許文献２】特開２００３−１５４０１３号公報（図１）
【考案の開示】
【考案が解決しようとする課題】
【０００４】
従来のイントロデューサでは、シースとダイレータの接続強度が不十分である点、ダイレータハブに付設したアーム等が手技のときに邪魔になる点である。
【課題を解決するための手段】
【０００５】
［１］本考案は、シース（２）とダイレータ（３）とを具備し、
シースハブ（５）の外周に、長さが外周長の略1／３ないし略１／４の突起（１６）を形成し、ダイレータフランジ（１０）に、長さが外周長の略1／３ないし略１／４のスリット（１７）を形成したイントロデューサ（１）を提供する。
［２］本考案は、前記ダイレータフランジ（１０）の長さ方向に、スリット（１８）を少なくとも一個ないし二個形成した［１］に記載のイントロデューサ（１）を提供する。
［３］本考案は、シース（２）とダイレータ（３）とを具備し、
シースハブ（５）の外周に、長さが外周長の略1／３ないし略１／４の突起（１６）を形成し、ダイレータフランジ（１０）に、長さが外周長の略1／３ないし略１／４のスリット（１７）を形成し、
前記突起（１６）と前記スリット（１７）は、シースハブ（５）とダイレータフランジ（１０）の対向する位置に形成し、
前記ダイレータフランジ（１０）の長さ方向に、少なくとも一個ないし二個のスリット（１８）を形成し、
前記ダイレータフランジ（１０）をシースハブ（５）方向にストレートに直進させることにより、シースハブ（５）がダイレータフランジ（１０）を押し広げ、前記突起（１６）が前記スリット（１７）に係合するように形成したイントロデューサ（１）を提供する。
【考案の効果】
【０００６】
本考案のイントロデューサ１は、ダイレータ３をシース４方向に、ストレートに直進させるだけで簡潔に係合でき、十分な接続強度も維持できる。
【考案を実施するための最良の形態】
【０００７】
図１は本考案のイントロデューサの概略図、（Ａ）は分解図、（Ｂ）はシース２の組立図、（Ｃ）はシース２とダイレータ３の組立図、図２はダイレータ３の分解図、図３と図４は、シース２とダイレータ３の接続状態を示す概略図である。
【０００８】
［イントロデューサ１の概要］
本考案のイントロデューサ１は、シース２とダイレータ３とを具備する。
［シース２］
本考案のシース２は、前方にカバー４を介してチューブ６を接続し、後方にシースハブ５を形成している。当該シースハブ５内に、止血弁１３が配置されている。
さらに必要に応じて、当該シースハブ５の後方に例えばキャップ等の接続部体１２を装着している。
図１の例示では、シースハブ５の構成部品の一部として、接続体１２を別部品として装着しているが、接続体１２と同形状の部品をシースハブ５に一体成形することができる。
【０００９】
［ダイレータ３］
本考案のダイレータ３は、図２に例示するように、基端部１４にダイレータチューブ１１を接続し、当該基端部１４の外周にダイレータハブ９を圧入等の手段により装着している。
ダイレータハブ９は筒状に形成され、前方に大径のフランジ１０が形成されている。
【００１０】
前記イントロデューサ１は、図３に例示するイントロデューサ１のように、シースハブ５の外周に、長さが外周長の略1／３ないし略１／４の突起１６を形成し、ダイレータフランジ１０に、長さが外周長の略1／３ないし略１／４のスリット１７を形成している。
突起１６とスリット１７は、シースハブ５とダイレータフランジ１０の対向する位置に形成されている。
ダイレータフランジ１０の外径のほうが、シースハブ５の外径よりも若干大きく形成されているので、スリット１７には、突起１６が係合しかつ離脱する際の僅かなスペースがある。
【００１１】
図４に例示するようにダイレータフランジ１０をシースハブ５方向にストレートに直進させることにより、シースハブ５がダイレータフランジ１０を押し広げ、突起１６がスリット１７に係合して、接続固定される。ダイレータ３をシース２方向に、ストレートに直進させるだけで係合するので、シース２とダイレータ３を簡潔に接続でき、接続時のブレもない。また十分な接続強度も維持できる。
またダイレータフランジ１０をシースハブ５から取り外すときは、逆方向に後退させれば良いので、取り外しも容易である。
突起１６とスリット１７の長さを、それぞれシースハブ５とダイレータフランジ１０の外周長の略1／３ないし略１／４にしたのは、突起１６とスリット１７の長さがあまり長いと、ダイレータフランジ１０を、シースハブ５に直進係合する際に、抵抗（シースハブ５がダイレータフランジ１０を押し広げる力）が大きくなり、直進係合が困難となり、同様に取り外しの際も抵抗が大きくなり、取り外し困難となるので、好ましくない。
逆にあまり短いと、直進係合、取り外しは容易になるが、接続（係合）強度が弱くなるので好ましくない。
【００１２】
またダイレータフランジ１０の長さ方向に、スリット１８を少なくとも一ないし二箇形成することにより、係合時にダイレータフランジ１０を容易に押し広げることができるので、係合が容易になる。さらに詳述すれば、ダイレータフランジ１０の長さ方向に、二個のスリット１８を対向するように形成すると、ダイレータフランジ１０が、押し広げられるときのバランスが良いので、より好ましい。
突起１６とスリット１７は、それぞれダイレータフランジ１０、シースハブ５の外周
に沿って、環状（略２／３ないし略３／４欠落している）に形成されるが、ダイレータフランジ１０とシースハブ５の直進係合と、取り外しが容易にできれば、形状は何でも良い。
またスリット１８も、係合時にダイレータフランジ１０を容易に押し広げることができる形状であれば何でも良い。
ダイレータフランジ１０のスリット１７とスリット１８は、近接しても良いが、相互に交差しないほうが望ましい。
【００１３】
本考案のシース２の接続体１２とダイレータハブ９は、硬質部材ないし半硬質部材が使用される。例えばポリエチレン、ポリプロピレン、ポリスチレン、ポリカーボネート、ＡＢＳ、メタクリル樹脂、アクリル樹脂等の硬質ないし半硬質プラスチック等が使用される。
【図面の簡単な説明】
【００１４】
【図１】本考案のイントロデューサの概略図、（Ａ）は分解図、（Ｂ）はシース２の組立図、（Ｃ）はシース２とダイレータ３の組立図
【図２】ダイレータの分解図
【図３】シースとダイレータハブの接続形態を示す概略図
【図４】シースとダイレータハブの接続形態を示す概略図
【符号の説明】
【００１５】
１  イントロデューサ
２  シース
３  （イントロデューサ用）ダイレータ
４  （シース）カバー
５  シースハブ
６  （シース）チューブ
７  （シース）側管
８  サンプリングチューブ
９  ダイレータハブ
１０フランジ
１１  （ダイレータ）チューブ
１２  （シース）接続体
１３  止血弁
１６  突起
１７  スリット
１８  スリット
【図２】
0003114694.tif 000003
【図３】
0003114694.tif 000004
【図４】
0003114694.tif 000005
【図１】
0003114694.tif 000006